(57)【要約】【課題】伝熱手段を圧縮機に一体となるように配設させることで、搭載性が良好で、かつヒートポンプサイクルの運転効率の向上が図れるヒートポンプ装置を実現する。【解決手段】圧縮機２、高圧冷媒と熱媒体とを熱交換する凝縮用熱交換器３、減圧手段５、蒸発用熱交換器６およびアキュームレータ７を順に環状に接続し、凝縮用熱交換器３に熱媒体を流通させて高温の熱媒体を出力するヒートポンプ装置において、凝縮用熱交換器３から吐出される高圧冷媒を流通させて高圧冷媒の熱を外部に伝熱する伝熱手段４が圧縮機２の外郭部２１に設けられるとともに、圧縮機２は、伝熱手段４からの伝熱により外郭部２１の内部に流通する吸入冷媒が加熱されるように構成した。これにより、搭載性が良好で、かつ運転効率の向上が図れる。【選択図】        図２
2004239506.tif 000002
【特許請求の範囲】
【請求項１】
冷媒を吸入して圧縮する圧縮機（２）、前記圧縮機（２）より吐出された高圧冷媒と熱媒体とを熱交換する凝縮用熱交換器（３）、減圧手段（５）、蒸発用熱交換器（６）およびアキュームレータ（７）を順に環状に接続し、前記凝縮用熱交換器（３）に熱媒体を流通させて高温の熱媒体を出力するヒートポンプ装置において、
前記凝縮用熱交換器（３）から吐出される高圧冷媒を流通させて高圧冷媒の熱を外部に伝熱する伝熱手段（４）が前記圧縮機（２）の外郭部（２１）に設けられるとともに、前記圧縮機（２）は、前記伝熱手段（４）からの伝熱により前記外郭部（２１）の内部に流通する吸入冷媒が加熱されるように構成したことを特徴とするヒートポンプ装置。
【請求項２】
前記凝縮用熱交換器（３）と前記減圧手段（５）とを接続する冷媒配管（８ｃ）は、前記凝縮用熱交換器（３）の吐出側から前記伝熱手段（４）を経由させて前記減圧手段（５）に接続されるように構成したことを特徴とする請求項１に記載のヒートポンプ装置。
【請求項３】
前記伝熱手段（４）は、前記圧縮機（２）の前記外郭部（２１）に熱伝導性が良好となるように接合されたことを特徴とする請求項１に記載のヒートポンプ装置。
【請求項４】
前記伝熱手段（４）は、パイプ状の金属配管で形成され、かつ前記外郭部（２１）に略どぐろ状に巻きつけられたことを特徴とする請求項３に記載のヒートポンプ装置。
【請求項５】
前記伝熱手段（４）は、多孔状に配設された多孔管で形成され、かつ前記外郭部（２１）に巻きつけられたことを特徴とする請求項３に記載のヒートポンプ装置。
【請求項６】
前記伝熱手段（４）は、接合手段としてろう付け、または、はんだ付けのいずれかによって前記外郭部（２１）に接合されたことを特徴とする請求項３ないし請求項５のいずれか一項に記載のヒートポンプ装置。
【請求項７】
高圧冷媒と熱媒体とを熱交換する前記凝縮用熱交換器（３）は、熱媒体として水道水またはブライン水のいずれかを流通させて高温の温水を出力し、その高温の温水を用いて給湯および暖房を行なうことを特徴とする請求項１ないし請求項６のいずれか一項に記載のヒートポンプ装置。
【請求項８】
前記圧縮機（２）、前記凝縮用熱交換器（３）、前記減圧手段（５）、前記蒸発用熱交換器（６）およびアキュームレータ（７）から構成されるヒートポンプサイクル（Ｃ）は、蒸気圧縮サイクルが超臨界域で作動されることを特徴とする請求項１ないし請求項７のいずれか一項に記載のヒートポンプ装置。
【請求項９】
ヒートポンプサイクル（Ｃ）は、冷媒が二酸化炭素であることを特徴とする請求項８に記載のヒートポンプ装置。
【発明の詳細な説明】
【０００１】
【発明の属する技術分野】
本発明は、ヒートポンプサイクルを構成する凝縮用熱交換器に熱媒体を流通させて高温の熱媒体を出力するヒートポンプ装置に関するものであり、特に、圧縮機に吸入される低圧冷媒の加熱に関する。
【０００２】
【従来の技術】
従来より、熱媒体（例えば、水道水）の加熱手段として、ヒートポンプサイクルを用いて高圧冷媒と水道水とを熱交換させるヒートポンプ装置が知られている。このヒートポンプ装置は、冷媒を圧縮する圧縮機、この圧縮機より吐出された高圧、高温冷媒と水道水とを熱交換する凝縮用熱交換器、減圧手段、蒸発用熱交換器およびアキュームレータを順に環状に冷媒配管で接続して、凝縮用熱交換器に低温の水道水を流通させて高温の給湯水を出力している（例えば、特許文献１参照。）。
【０００３】
【特許文献１】
特開２００２−５５１５号公報
【０００４】
【発明が解決しようとする課題】
しかしながら、上記特許文献１のようなヒートポンプサイクルによれば、凝縮用熱交換器に供給される水道水の温度が高くなってくると、凝縮用熱交換器の出口側の冷媒温度が下がらないために凝縮用熱交換器の加熱能力が減少してしまう。所謂、ヒートポンプシステムの入力となる圧縮機の動力に対する出力である凝縮用熱交換器の加熱能力が低下してしまうので運転効率が低下するという問題があった。
【０００５】
そこで、発明者らは上述の問題を解消するために、凝縮用熱交換器から吐出される冷媒の熱を圧縮機に吸入する冷媒に加熱させて、圧縮機の吐出温度を高めて凝縮用熱交換器の加熱能力を増加させる方法があることを見出した。因みに、図５はヒートポンプサイクルを構成する低圧冷媒配管に伝熱手段を配設して、圧縮機に吸入する低圧冷媒を加熱するように構成したものである。
【０００６】
これは、図５に示すように、圧縮機１１０、凝縮用熱交換器１２０、減圧手段１３０、蒸発用熱交換器１４０、およびアキュームレータ１５０から構成されるヒートポンプサイクル１００において、圧縮機１１０とアキュームレータ１５０とを接続する低圧冷媒配管１６０と、凝縮用熱交換器１２０と減圧手段１３０とを接続する高圧冷媒配管１７０とを熱交換するように伝熱手段１８０を設けたものである。
【０００７】
これによれば、凝縮用熱交換器１２０から吐出される冷媒の熱を低圧冷媒配管１６０に流通する低圧冷媒に伝熱させることができる。しかも、この伝熱手段１８０の伝熱部１９０をろう付けなどの接合手段により接合させて、これらの冷媒配管１６０、１７０を断熱材１６０で覆うように構成することにより、高圧冷媒配管１７０側の熱を低圧冷媒配管１６０側に確実に伝熱させることが可能である。
【０００８】
ところが、伝熱部１９０の伝熱面積を大となるような伝熱手段１８０を構成させると、低圧冷媒配管１６０の圧力損失が増大するため、圧縮機１１０の吸入圧力が低下してしまい運転効率の低下という不具合が発生することが分かった。さらに、ヒートポンプサイクル１００に伝熱手段１８０を構成するための搭載空間が新たに必要となることも併せて分かった。
【０００９】
そこで、本発明では、上記点を鑑みたものであり、伝熱手段を圧縮機に一体となるように配設させることで、伝熱手段の搭載性が良好で、かつヒートポンプサイクルの運転効率の向上が図れるヒートポンプ装置を提供することにある。
【００１０】
【課題を解決するための手段】
上記、目的を達成するために、請求項１ないし請求項９に記載の技術的手段を採用する。すなわち、請求項１に記載の発明では、冷媒を吸入して圧縮する圧縮機（２）、この圧縮機（２）より吐出された高圧冷媒と熱媒体とを熱交換する凝縮用熱交換器（３）、減圧手段（５）、蒸発用熱交換器（６）およびアキュームレータ（７）を順に環状に接続し、凝縮用熱交換器（３）に熱媒体を流通させて高温の熱媒体を出力するヒートポンプ装置において、
凝縮用熱交換器（３）から吐出される高圧冷媒を流通させて高圧冷媒の熱を外部に伝熱する伝熱手段（４）が圧縮機（２）の外郭部（２１）に設けられるとともに、圧縮機（２）は、伝熱手段（４）からの伝熱により外郭部（２１）の内部に流通する吸入冷媒が加熱されるように構成したことを特徴としている。
【００１１】
請求項１に記載の発明によれば、凝縮用熱交換器（３）から吐出される高圧冷媒を流通させて高圧冷媒の熱を外部に伝熱する伝熱手段（４）が圧縮機（２）の外郭部（２１）に設けられることにより、圧縮機（２）の外郭がやや大となることで、圧縮機（２）の容積がやや増加するが伝熱手段（４）の搭載性を悪化させることはない。
【００１２】
また、伝熱手段（４）は、凝縮用熱交換器（３）から吐出される高圧冷媒を流通させて高圧冷媒の熱を外部に伝熱するように構成し、かつ圧縮機（２）の外郭部（２１）から吸入冷媒が加熱されるように構成したので、低圧側の圧力損失が全く増加することなくヒートポンプサイクル（Ｃ）の運転効率の向上が図れる。
【００１３】
請求項２に記載の発明では、凝縮用熱交換器（３）と減圧手段（５）とを接続する冷媒配管（８ｃ）は、凝縮用熱交換器（３）の吐出側から伝熱手段（４）を経由させて減圧手段（５）に接続されるように構成したことを特徴としている。
【００１４】
請求項２に記載の発明によれば、凝縮用熱交換器（３）から吐出される高圧冷媒の熱が伝熱手段（４）により外部、具体的には、圧縮機（２）の外郭部（２１）を介して圧縮機（２）内部の吸入冷媒に伝熱されることで、吸入冷媒が加熱されて圧縮機（２）の吐出温度を高めて凝縮用熱交換器（３）の加熱能力を増加させる。これにより、ヒートポンプサイクル（Ｃ）の運転効率の向上が図れる。
【００１５】
請求項３に記載の発明では、伝熱手段（４）は、圧縮機（２）の外郭部（２１）に熱伝導性が良好となるように接合されたことを特徴としている。
【００１６】
請求項３に記載の発明によれば、伝熱手段（４）を外郭部（２１）に熱伝導性が良好となるように接合されたことにより、高圧冷媒の熱が確実に伝熱できる。
【００１７】
請求項４に記載の発明では、伝熱手段（４）は、パイプ状の金属配管で形成され、かつ外郭部（２１）に略どぐろ状に巻きつけられたことを特徴としている。
【００１８】
請求項４に記載の発明によれば、圧縮機（２）の容積がやや増加するが、伝熱手段（４）を小型にすることができるため、伝熱手段（４）を別体に設ける方式よりも搭載性が良好となる。
【００１９】
請求項５に記載の発明では、伝熱手段（４）は、多孔状に配設された多孔管で形成され、かつ外郭部（２１）に巻きつけられたことを特徴としている。
【００２０】
請求項５に記載の発明によれば、伝熱手段（４）を、例えば、押出し加工などによって多孔状に配設された多孔管を形成することにより、上記請求項４よりも伝熱特性が向上することで伝熱手段（４）が小型にできる。
【００２１】
請求項６に記載の発明では、伝熱手段（４）は、接合手段としてろう付け、または、はんだ付けのいずれかによって外郭部（２１）に接合されたことを特徴としている。
【００２２】
請求項６に記載の発明によれば、伝熱手段（４）の熱を確実に外郭部（２１）に伝熱できるため吸入側の低圧冷媒を確実に加熱できる。
【００２３】
請求項７に記載の発明では、高圧冷媒と熱媒体とを熱交換する凝縮用熱交換器（３）は、熱媒体として水道水またはブライン水のいずれかを流通させて高温の温水を出力し、その高温の温水を用いて給湯および暖房を行なうことを特徴としている。
【００２４】
請求項７に記載の発明によれば、凝縮用熱交換器（３）に供給される熱媒体の温度が高くなっても、圧縮機（２）の吐出温度が高まることで凝縮用熱交換器（３）の加熱能力の低下が防止できる。従って、運転効率の低下が防止できる。
【００２５】
請求項８に記載の発明では、圧縮機（２）、凝縮用熱交換器（３）、減圧手段（５）、蒸発用熱交換器（６）およびアキュームレータ（７）から構成されるヒートポンプサイクル（Ｃ）は、蒸気圧縮サイクルが超臨界域で作動されることを特徴としている。
【００２６】
請求項８に記載の発明によれば、圧縮機（２）の吐出温度が、より高められることにより、高温の熱媒体を出力する凝縮用熱交換器（３）の加熱能力が向上するとともに、ヒートポンプサイクル（Ｃ）の運転効率の向上が図れる。
【００２７】
請求項９に記載の発明では、ヒートポンプサイクル（Ｃ）は、冷媒が二酸化炭素であることを特徴としている。
【００２８】
請求項９に記載の発明によれば、冷媒に二酸化炭素を用いることで、圧縮機（２）の吐出温度がより高められることにより、凝縮用熱交換器（３）の加熱能力がより向上する。
【００２９】
なお、上記各手段の括弧内の符号は、後述する実施形態の具体的手段との対応関係を示すものである。
【００３０】
【発明の実施の形態】
（第１実施形態）
以下、本発明を適用した第１実施形態のヒートポンプ装置を図１および図２に基づいて説明する。図１は、ヒートポンプ装置１の全体構成を示す模式図である。本実施形態のヒートポンプ装置１は、高圧側の冷媒圧力が臨界圧力以上となるヒートポンプサイクルＣである蒸気圧縮システムと、ヒートポンプサイクルＣを構成する凝縮用熱交換器３に熱媒体（例えば、水道水、給湯用水）を流通させる給湯水通路１０とからなっている。
【００３１】
本実施形態のヒートポンプサイクルＣは、図１に示すように、圧縮機２、凝縮用熱交換器３、伝熱手段４、減圧手段５、蒸発用熱交換器６およびアキュームレータ７などを順に環状に冷媒配管８により接続して構成され、冷媒として、臨界圧力の低い二酸化炭素（ＣＯ２）を用いている。
【００３２】
圧縮機２は、詳しくは後述するが内蔵する電動部である電動モータにより駆動され、アキュームレータ７より吸入した冷媒を圧縮して吐出する。凝縮用熱交換器３は、圧縮機２より吐出された高圧のガス冷媒と熱媒体（例えば、水道水、給湯用水）とを熱交換する水熱交換器である。減圧手段５は、弁開度を電気的に調節可能な構造を有し、凝縮用熱交換器３および詳しくは後述する伝熱手段４で冷却された冷媒を弁開度に応じて減圧する膨張弁である。
【００３３】
蒸発用熱交換器６は、ファン６ａによる送風を受け、減圧手段５で減圧された冷媒を外気との熱交換によって蒸発させる。アキュームレータ７は、蒸発用熱交換器６と圧縮機２との間に介在してサイクルＣ内の余剰冷媒を蓄え、気相冷媒のみを圧縮機２に吸入させる。
【００３４】
なお、冷媒配管８のうち、８ａはアキュームレータ７と圧縮機２の吸入側との間に接続される低圧冷媒配管であり、８ｂは凝縮用熱交換器３と圧縮機２の吐出側との間に接続される第１高圧冷媒配管であり、８ｃは、凝縮用熱交換器３の出口側と減圧手段５との間に接続される冷媒高圧配管である第２高圧冷媒配管である。
【００３５】
一方、給湯水通路１０には、給湯用水を貯湯する貯湯タンク１１、循環ポンプ１２、および凝縮用熱交換器３から構成され、図１に示すように、ヒートポンプサイクルＣの冷媒流れ方向と給湯用水の流れ方向とが対向するように構成されている。貯湯タンク１１は、耐食性に優れた金属製（例えば、ステンレス製）で断熱構造を有し、高温（例えば、８０〜９０℃）の給湯用水を長時間に渡って保温するようになっており、給湯のときに、貯湯タンク１１内から取り出した給湯用水と水道水とを温度調節して使用者に供給するシステムになっている。
【００３６】
なお、貯湯タンク１１内に貯湯される給湯用水は、キッチンや風呂などで直接使用しても良いが、給湯用以外に、例えば、床暖房用、室内空調用の暖房熱源として利用することもできる。また、循環ポンプ１２は、貯湯タンク１１内の給湯用水を凝縮用熱交換器３に循環させるポンプである。
【００３７】
次に本発明の要部である伝熱手段４について説明する。本実施形態の伝熱手段４は凝縮用熱交換器３と減圧手段５とを接続する高圧冷媒が流通する第２高圧冷媒配管８ｃの中途に形成され、詳しくは、図２に示すように、パイプ状の金属配管を圧縮機２の外郭部２１に略どぐろ状に巻きつけるように形成して配設している。また、図中の４ａは、伝熱手段４への入口部であって、凝縮用熱交換器３の出口側に接続され、４ｂは、伝熱手段４の出口部であって、減圧手段５に接続されている。
【００３８】
次に、伝熱手段４の内周側と外郭部２１とは、伝熱手段４の熱伝導性が良好となるように、ろう付けもしくは、はんだ付けなどの接合手段によって接合している。これにより、圧縮機２で吐出された高温高圧の冷媒が、凝縮用熱交換器３において、給湯用水と熱交換された高圧冷媒が減圧手段５に流通される前に、高圧冷媒の熱が伝熱手段４より圧縮機２の外郭部２１に伝熱されるものである。さらに、図中に示す２点鎖線は断熱材４ｃであり、伝熱手段４の外表面を覆うように配設されている。
【００３９】
一方の圧縮機２側は、下方に吸入口２ａ、伝熱手段４が配設される外郭部２１の内側には電動部である電動モータ２２と、その電動モータ２２の上方に圧縮部２３と、その上方に吐出口２ｂとが設けられるとともに、電動モータ２２の内部には、吸入口２ａより吸入した低圧冷媒の吸入通路２４が形成されている。従って、吸入口２ａより吸入された低圧冷媒は吸入通路２４を流通して電動モータ２２および外郭部２１からの熱により加熱された後に、圧縮部２３に流通するようになっている。なお、吸入口は低圧冷媒配管８ａに接続され、吐出口２ｂは第１高圧冷媒配管８ｂに接続されている。
【００４０】
なお、本実施形態では電動モータ２２を下方に、圧縮部２３を電動モータ２２の上方に配設して、電動モータ２２の外側の外郭部２１に伝熱手段４を接合させたが、これに限らず、電動モータ２２が上方に、圧縮部２３が下方に配設された構造の圧縮機であっても、伝熱手段４を電動モータ２２の外側の外郭部２１に接合させても良い。
【００４１】
また、伝熱手段４が必ずしも電動モータ２２の外側の外郭部２１に接合する必要はないが、圧縮部２３の上流側に形成される吸入通路２４の外側の外郭部２１に伝熱手段４を接合させるのが最適である。
【００４２】
次に、以上の構成によるヒートポンプサイクルＣの作動について説明する。圧縮機２で圧縮された高温高圧の冷媒は、凝縮用熱交換器３において、給湯用水に放熱されて冷却される。そして、凝縮用熱交換器３にて冷却された高圧冷媒の熱は、伝熱手段４によって圧縮機２の外郭部２１に伝熱されることで、さらに冷却した後に減圧手段５にて減圧される。
【００４３】
そして、凝縮用熱交換器３にて冷却された高圧冷媒の熱が外郭部２１に伝熱されることで、外郭部２１内の吸入通路２４を流通する低圧冷媒が加熱されて、圧縮機の吐出温度が高められるものである。
【００４４】
従って、凝縮用熱交換器３に供給される給湯用水の温度が所定値よりも高くなってくるときには、凝縮用熱交換器３の出口側の冷媒温度が下がらないために凝縮用熱交換器３の加熱能力が減少するが、伝熱手段４によって凝縮用熱交換器３の出口側の冷媒温度を伝熱させて圧縮機２内を流通する低圧冷媒に加熱することで、凝縮用熱交換器３の加熱能力を増加することができる。
【００４５】
以上の第１実施形態のヒートポンプ装置１によれば、凝縮用熱交換器３から吐出される高圧冷媒を流通させて高圧冷媒の熱を外部に伝熱する伝熱手段４が圧縮機２の外郭部２１に設けられることにより、圧縮機２の外郭がやや大となることで、圧縮機２の容積がやや増加するが伝熱手段４の搭載性を悪化させることはない。
【００４６】
また、この伝熱手段４は凝縮用熱交換器３から吐出される高圧冷媒を流通させて高圧冷媒の熱を外部に伝熱するように構成し、かつ圧縮機２の外郭部２１から吸入冷媒が加熱されるように構成したので、低圧冷媒配管８ａ側の圧力損失が全く増加することなくヒートポンプサイクルＣの運転効率の向上が図れる。
【００４７】
また、凝縮用熱交換器３から吐出される高圧冷媒の熱が伝熱手段４により外部、具体的には、圧縮機２の外郭部２１を介して圧縮機２内部の吸入冷媒に伝熱されることで、吸入冷媒が加熱されて圧縮機２の吐出温度を高めて凝縮用熱交換器３の加熱能力を増加させることができることで、ヒートポンプサイクルＣの運転効率の向上が図れる。
【００４８】
また、伝熱手段４をパイプ状の金属配管で、外郭部２１に略どぐろ状に巻きつけるように配設したことにより、圧縮機２の容積がやや増加するが、伝熱手段４を小型にすることができるため、伝熱手段４を別体に設ける従来の方式よりも搭載性が良好となる。
【００４９】
また、伝熱手段４は、接合手段としてろう付け、もしくは、はんだ付けのいずれかによって外郭部２１に接合したことにより、伝熱手段４の熱を確実に外郭部２１に伝熱できるため吸入側の低圧冷媒を確実に加熱できる。
【００５０】
また、ヒートポンプサイクルＣには、冷媒に二酸化炭素を用いるとともに、蒸気圧縮サイクルが超臨界域で作動されるように構成することにより、圧縮機２の吐出温度が、より高められることにより、高温の熱媒体を出力する凝縮用熱交換器３の加熱能力が向上するとともに、ヒートポンプサイクルＣの運転効率の向上が図れる。
【００５１】
（第２実施形態）
以上の第１実施形態では、伝熱手段４をパイプ状の金属配管で形成し、かつ圧縮機の外郭部２１に略どぐろ状に巻きつけるように配設したが、これに限らず、多孔状に配設された多孔管で伝熱手段４を形成させて、かつ外郭部２１に巻きつけるように配設しても良い。
【００５２】
具体的には、図３に示すように、例えば、押出し材などを用いて押出加工により多孔状に配設された多孔管４ｄで伝熱手段４を形成させて、圧縮機２の外郭部２１に巻きつけたものである。なお、図中の符合は第１実施形態と同じ構成のものは同一の符合を付して説明は省略する。以上の構成による第２実施形態のヒートポンプ装置１によれば、第１実施形態よりも成形型が必要となるが、伝熱特性が向上することで伝熱手段４が小型にできる。
【００５３】
（他の実施形態）
以上の実施形態では、電動モータ２２が内蔵する圧縮機２の外郭部２１に伝熱手段４を配設した説明をしたが、これに限らず、圧縮部２３を駆動するための駆動部が圧縮機２の外部に設けられており、その外部の駆動によって冷媒を圧縮する圧縮機においても本発明を適用できる。
【００５４】
図４は、本発明を車両用のエンジン等の動力を図示しないＶベルトを介して駆動させる圧縮機に本発明を適用させたもので、図４に示すように、２５は電磁クラッチであって、この電磁クラッチ２５を作動させることで圧縮機２が外部から駆動されるものである。この圧縮機２においても、圧縮部２３の上流側において、吸入通路２４の外側の外郭部２１に伝熱手段４を巻きつけるように配設させることにより、以上の実施形態と同様の効果を奏する。
【００５５】
なお、ここでは、第２実施形態にて説明した伝熱手段４を配設させたが、第１実施形態のパイプ状のものでも良い。また、以上の実施形態では、伝熱手段４の外側に断熱材４ｃを設けたが、断熱材４ｃがなくても良い。
【００５６】
また、以上の実施形態では、本発明を圧縮機２、凝縮用熱交換器３、減圧手段５、蒸発用熱交換器６などから構成され、超臨界ヒートポンプからなるヒートポンプサイクルＣに適用したが、これに限らず、一般のヒートポンプサイクルを構成する圧縮機２に適用しても良い。
【図面の簡単な説明】
【図１】本発明の第１実施形態におけるヒートポンプ装置１の全体構成を示す模式図である。
【図２】本発明の第１実施形態における伝熱手段４の圧縮機２への搭載形態を示す縦断面図である。
【図３】本発明の第２実施形態における伝熱手段４の圧縮機２への搭載形態を示す縦断面図である。
【図４】他の実施形態における伝熱手段４の圧縮機２への搭載形態を示す縦断面図である。
【図５】伝熱手段１８０を冷媒配管に構成したときのヒートポンプサイクル１００を示す模式図である。
【符号の説明】
２…圧縮機
３…凝縮用熱交換器
４…伝熱手段
５…減圧手段
６…蒸発用熱交換器
７…アキュームレータ
８ｃ…第２高圧冷媒配管（冷媒配管）
２１…外郭部
Ｃ…ヒートポンプサイクル
【図１】
2004239506.tif 000003
【図２】
2004239506.tif 000004
【図３】
2004239506.tif 000005
【図４】
2004239506.tif 000006
【図５】
2004239506.tif 000007